(57)【要約】【課題】ネジの取付け及び取外し時の作業性を向上することができるネジカバー及び該ネジカバーを有する表示装置を提供する。【解決手段】工具挿通用の貫通孔１１ａを有し、部材に螺合されたネジの頭部を覆うべき蓋部１１を備えるネジカバー１において、前記部材に係合する係合部１３，１３と、前記ネジが緩められたとき、該ネジの頭部が当接され、ネジからの力を受けるべき円筒１２とをネジカバー１に設けており、前記部材に係合部１３，１３を係合させることによりネジカバー１を部材に容易に取付けることができると共に、ネジを工具により緩めたときに、ネジからの力が該ネジの頭部が当接された円筒１２を介して伝達されて、ネジカバー１が押し上げられると共に、ネジカバー１の移動に伴い、係合部１３，１３の前記部材との係合が解除されるから、ネジを緩める作業によりネジカバー１を取外すことができ、取付け及び取外しの作業性を向上することができる。【選択図】図１
2009192066.tif 000002
【特許請求の範囲】
【請求項１】
工具挿通用の貫通孔を有し、部材に螺合されたネジの頭部を覆うべき蓋部を備えるネジカバーにおいて、前記部材に係合すべき係合部と、前記ネジが緩められたとき、該ネジの頭部が当接され、前記ネジからの力を受けるべき受圧部とを備えることを特徴とするネジカバー。
【請求項２】
前記受圧部は、前記蓋部に突設してあり、前記係合部は、前記蓋部に前記受圧部と同方向に突設されていることを特徴とする請求項１に記載のネジカバー。
【請求項３】
前記受圧部は、可撓性を有し、前記蓋部に突設してあり、前記係合部は、前記受圧部の端部から該受圧部に交叉する方向に突設されてなることを特徴とする請求項１に記載のネジカバー。
【請求項４】
前記受圧部は、前記蓋部に突設された筒体であり、前記係合部は、前記筒体又は蓋部の外周面に形成された複数の凸部であることを特徴とする請求項１に記載のネジカバー。
【請求項５】
前面に表示面を有する表示部と、該表示部の周縁部を取囲むフロントキャビネットと、前記表示部の後側を覆うリアキャビネットとを備え、該リアキャビネットに螺合されたネジの頭部をネジカバーにより被覆してある表示装置において、前記ネジカバーは、請求項１から４の何れか１項に記載のネジカバーであることを特徴とする表示装置。
【請求項６】
前面に表示面を有する表示部と、該表示部の周縁部を取囲むフロントキャビネットと、前記表示部の後側を覆うリアキャビネットとを備え、該リアキャビネットに螺合されたネジの頭部をネジカバーにより被覆してある表示装置において、前記リアキャビネットは、前記ネジの頭部を収容する凹部と該凹部の内周面に形成された係合穴とを有しており、前記ネジカバーは、工具挿通用の貫通孔を有する蓋部と、該蓋部に前記ネジの頭部に対向するように突設され、該ネジが緩められたとき、前記ネジからの力を受けるべき受圧部と、前記蓋部に前記受圧部と同方向に突設された腕部、及び該腕部から突設され前記係合穴に係合する係合爪を有する係合部とを備えていることを特徴とする表示装置。
【発明の詳細な説明】
【技術分野】
【０００１】
本発明は、ネジの頭部を覆う蓋部を有するネジカバー及び該ネジカバーを有する表示装置に関する。
【背景技術】
【０００２】
液晶表示装置、プラズマ表示装置等の表示装置は、画像を表示する表示面を前側に有するパネルモジュール（表示部）と、該パネルモジュールの周縁部を取囲むフロントキャビネットと、前記パネルモジュールの後側を覆うリアキャビネットとを備えている。フロントキャビネット及びリアキャビネットは、小ネジ、ボルト等のネジにより一体化されて、前記パネルモジュールを収容する筐体を構成している。
【０００３】
例えば、液晶表示装置において、パネルモジュールは、表示面を有するパネル本体と、該パネル本体の裏側に配置されたバックライト部と、回路基板、電源基板等の電子部品とを備えてなる。バックライト部、電子部品等の発熱部品からの熱により筐体内部の温度が上昇するため、発熱部品からの熱を筐体外部に放散すべく、一般に、筐体の下部及び上部には通気口が夫々設けてある。これにより、発熱部品から熱が伝達されて暖められた空気は、上方に移動し、筐体の上部に設けられた通気口から外部に流出する一方、筐体の下部に設けられた通気口から外部の空気が流入することになり、表示装置内部の放熱がなされる。
【０００４】
このような表示装置において、リアキャビネットをフロントキャビネットに固定するネジは、所定温度（例えば、５５℃）以下になるようにしてあるが、比較的温度が上昇する筐体上部のネジにおいては、ネジに直に指が触れると人に不快感を与えるという問題があった。また、表示装置を背面側から見たときにネジの頭部が見えるため、美観を損ねるという問題があった。
【０００５】
そこで、従来、ネジの頭部を覆うべくネジカバーが用いられており、その一例を図９に示す。図９に示すように、ネジカバー１００は、矩形板状の蓋部１１１と、該蓋部１１１の適長離隔した２ヶ所から略直交する方向に延設され、延設端から外向きに突設させてなる係合部１１２，１１２とを備えている。このネジカバー１００は、係合部１１２，１１２をリアキャビネット１０１に設けられた係合穴１０１ａ，１０１ａに係合させることによりリアキャビネット１０１に取付けられる（図１０参照）。ネジカバー１００は、蓋部１１１の一部に設けられた切欠き部１１１ａにマイナスドライバーを差し込み、力を加えることによりリアキャビネット１０１から取外される。このように、ネジを緩めるときに、まずネジカバー１００をマイナスドライバー等の工具を用いて取外す必要があり、作業性が悪いという問題があった。
【０００６】
また、ネジの頭部に取付けるネジカバーが種々提案されている（例えば、特許文献１及び特許文献２参照）。特許文献１に開示されたネジ頭部キャップは、貫通孔を有する座金部とネジの頭部を包被する蓋部とをヒンジ手段により連結してなる。このネジ頭部キャップにおいては、ネジを締付けるときに、まず座金部の貫通孔にネジ胴を挿通させ、ネジを締付けた後に蓋部を座金部に嵌合させる必要があり、またネジを緩めるときには、まず蓋部を外す必要があり、工具は不要であるが、作業性が悪いという問題があった。
【０００７】
特許文献２に開示されたネジキャップは、ネジの軸が挿入される切欠きを有するプレートとネジの頭部を包被するキャップとを備え、キャップに設けたリブをプレートに設けた引掛け部に嵌着させることにより、プレート及びキャップによりネジ頭が覆われるように構成してある。キャップには、ネジの頭部に嵌合される工具を挿通するための貫通孔が設けてある。
【特許文献１】特開平８−３２００１２号公報
【特許文献２】特開平８−２２６４３１号公報
【発明の開示】
【発明が解決しようとする課題】
【０００８】
特許文献２に開示されたネジキャップにおいて、ネジを緩めるときは、ネジキャップを取外す必要がなく、作業性は良好である。しかしながら、プレート及びキャップの２つの部品が必要であり、ネジを締付けるときには、プレートの切欠きにネジの軸を挿入し、キャップをプレートに嵌合させる作業が必要となり、手間がかかるという問題があった。
【０００９】
本発明は斯かる事情に鑑みてなされたものであり、ネジの取付け及び取外し時の作業性を向上することができるネジカバー及び該ネジカバーを有する表示装置を提供することを目的とする。
【課題を解決するための手段】
【００１０】
本発明に係るネジカバーは、工具挿通用の貫通孔を有し、部材に螺合されたネジの頭部を覆うべき蓋部を備えるネジカバーにおいて、前記部材に係合すべき係合部と、前記ネジが緩められたとき、該ネジの頭部が当接され、前記ネジからの力を受けるべき受圧部とを備えることを特徴とする。
【００１１】
この発明にあっては、ネジが螺合される部材に係合する係合部と、前記ネジが緩められたとき、該ネジの頭部が当接され、ネジからの力を受けるべき受圧部とをネジカバーに設けており、前記部材に係合部を係合させることによりネジカバーを部材に容易に取付けることができると共に、ネジを工具により緩めたときに、ネジからの力が該ネジの頭部が当接された受圧部を介して伝達されて、ネジカバーが押し上げられると共に、ネジカバーの移動に伴い、係合部の前記部材との係合が解除されるから、ネジを緩める作業によりネジカバーを取外すことができる。この結果、取付け及び取外しの作業性を向上することができる。
【００１２】
本発明に係るネジカバーは、前記受圧部は、前記蓋部に突設してあり、前記係合部は、前記蓋部に前記受圧部と同方向に突設されていることが好ましい。
【００１３】
この発明にあっては、蓋部に受圧部と同方向に突設された係合部を前記部材に係合させることによりネジカバーを部材に容易に取付けることができる。ネジを工具により緩めたときに、ネジからの力が該ネジの頭部が当接された受圧部を介して伝達されて、ネジカバーが押し上げられると共に、ネジカバーの移動に伴い、係合部の前記部材との係合が解除されるから、ネジを緩める作業によりネジカバーを取外すことができる。この結果、取付け及び取外しの作業性を向上することができる。
【００１４】
また、本発明に係るネジカバーは、前記受圧部は、可撓性を有し、前記蓋部に突設してあり、前記係合部は、前記受圧部の端部から該受圧部に交叉する方向に突設されてなることが好ましい。
【００１５】
この発明にあっては、前記部材に受圧部の端部から該受圧部に交叉する方向に突設されてなる係合部を係合させることによりネジカバーを部材に容易に取付けることができる。ネジを工具により緩めたときに、ネジからの力が該ネジの頭部が当接された受圧部を介して伝達されて、可撓性を有する受圧部が弾性変形しつつネジカバーが押し上げられると共に、この弾性変形に伴い、係合部が内側に移動して前記部材との係合が解除されるから、ネジを緩める作業によりネジカバーを取外すことができる。この結果、取付け及び取外しの作業性を向上することができる。
【００１６】
また、本発明に係るネジカバーは、前記受圧部は、前記蓋部に突設された筒体であり、前記係合部は、前記筒体又は蓋部の外周面に形成された複数の凸部であることが好ましい。
【００１７】
この発明にあっては、前記蓋部に突設された筒体又は蓋部の外周面に複数の凸部を形成している。凸部を適切に形成することにより、前記部材にネジカバーを取付けたときに、前記部材と凸部との間に生じる摩擦抵抗によりネジカバーを保持することができる。ネジを工具により緩めたときに、ネジからの力が該ネジの頭部が当接された筒体を介して伝達されて、ネジカバーが前記部材に対して摺動しつつ前記部材から取外されるから、ネジを緩める作業によりネジカバーを取外すことができる。この結果、取付け及び取外しの作業性を向上することができる。
【００１８】
また、本発明に係る表示装置は、前面に表示面を有する表示部と、該表示部の周縁部を取囲むフロントキャビネットと、前記表示部の後側を覆うリアキャビネットとを備え、該リアキャビネットに螺合されたネジの頭部をネジカバーにより被覆してある表示装置において、前記ネジカバーは、前述の発明に記載のネジカバーであることを特徴とする。
【００１９】
この発明にあっては、表示装置のリアキャビネットに螺合されたネジの頭部を被覆するネジカバーとして前述の発明に記載のネジカバーを用いている。ネジを緩めたときに、ネジからの力が該ネジの頭部が当接された受圧部を介して伝達されて、ネジカバーが押し上げられると共に、ネジカバーの移動に伴い、係合部の前記部材との係合が解除されるから、ネジを緩める作業によりネジカバーを取外すことができる。この結果、取付け及び取外しの作業性を向上することができる。
【００２０】
また、本発明に係る表示装置は、前面に表示面を有する表示部と、該表示部の周縁部を取囲むフロントキャビネットと、前記表示部の後側を覆うリアキャビネットとを備え、該リアキャビネットに螺合されたネジの頭部をネジカバーにより被覆してある表示装置において、前記リアキャビネットは、前記ネジの頭部を収容する凹部と該凹部の内周面に形成された係合穴とを有しており、前記ネジカバーは、工具挿通用の貫通孔を有する蓋部と、該蓋部に前記ネジの頭部に対向するように突設され、該ネジが緩められたとき、前記ネジからの力を受けるべき受圧部と、前記蓋部に前記受圧部と同方向に突設された腕部、及び該腕部から突設され前記係合穴に係合する係合爪を有する係合部とを備えていることを特徴とする。
【００２１】
この発明にあっては、ネジカバーの蓋部に受圧部と同方向に突設された腕部から突設された係合爪を表示装置のリアキャビネットに設けられた凹部の内周面に形成された係合穴に係合させることによりネジカバーをリアキャビネットに容易に取付けることができる。ネジを工具により緩めたときに、ネジからの力が該ネジの頭部が当接された受圧部を介して伝達されて、ネジカバーが押し上げられると共に、ネジカバーの移動に伴い、係合爪のリアキャビネットの係合穴との係合が解除されるから、ネジを緩める作業によりネジカバーをリアキャビネットから取外すことができる。この結果、取付け及び取外しの作業性を向上することができる。
【発明の効果】
【００２２】
本発明によれば、ネジにより取付けられた部材に係合部を係合させてネジカバーを容易に取付けることができると共に、ネジを工具により緩めたときに、ネジからの力が該ネジの頭部が当接された受圧部を介して伝達されて、ネジカバーが押し上げられると共に、係合部の前記部材との係合が解除されるから、ネジを緩める作業によりネジカバーを取外すことができ、取付け及び取外しの作業性を向上することができる。
【発明を実施するための最良の形態】
【００２３】
以下、本発明をその実施の形態を示す図面に基づいて詳述する。
（実施の形態１）
図１は、本発明の実施の形態１に係るネジカバーの外観図であり、図２は、図１のII−II矢視から見た模式的平面図である。
【００２４】
ネジカバー１は、矩形平板状の蓋部１１を備えている。蓋部１１の中央には、円形の貫通孔１１ａが設けてある。なお、貫通孔１１ａは、ネジの頭部に嵌合される工具であるドライバーを挿通することができるように形成してある。
【００２５】
蓋部１１には、貫通孔１１ａを縁取るように円筒（受圧部）１２が立設してあり、円筒１２を挟んだ対称位置に一対の係合部１３，１３が設けてある。係合部１３，１３は、蓋部１１から円筒１２と同方向に、蓋部１１の側から端部の側に向けて円筒１２と離隔する方向に緩やかに傾斜して延設された細長い矩形板状の腕部１３ａ，１３ａと、該腕部１３ａ，１３ａの端部から互いに離反する向きに突設された係合爪１３ｂ，１３ｂとを有してなり、突設方向に沿う断面形状が略Ｌ字状を有している。係合爪１３ｂ，１３ｂは、図１に示す如く、突設高さが、腕部１３ａ，１３ａの開放端から蓋部１１の側に向けて連続的に増加した後、連続的に減少するように形成してあり、係合爪１３ｂ，１３ｂの形状は略三角柱状である。
【００２６】
このようなネジカバー１は、例えば、表示装置の筐体に取付けられたネジの頭部を覆うべく、表示装置の筐体に装着される。図３は、表示装置の構成を示す背面側の模式的斜視図であり、図４は、表示装置の模式的分解斜視図である。図５は、図３の V−V 線による部分断面図である。
【００２７】
表示装置は、画像を表示する表示面を前側に有するパネルモジュール２と、該パネルモジュール２の周縁部を取囲むフロントキャビネット３と、パネルモジュール２の後側を覆うリアキャビネット４と、パネルモジュール２を起立状態にて支持するスタンド５とを備える液晶テレビ、換言すれば液晶表示装置である。
【００２８】
パネルモジュール２は、表示面を有するパネル本体と、該パネル本体の裏側に配置されたバックライト部と、回路基板、電源基板等の電子部品とを備えてなる。
【００２９】
フロントキャビネット３は、図４に示す如く、矩形窓を有する矩形枠部３１と、該矩形枠部３１の外縁から略直交して後方に延びる周壁３２とを備えており、表示面の周縁部を取囲むようにパネルモジュール２に被嵌してある。矩形枠部３１の内面には、図５に示すような円筒状のボス部３３，３３…が適長離隔して設けてある。
【００３０】
リアキャビネット４は、皿形覆部４１と、該皿形覆部４１の周縁に連設されたフランジ部４２とを備えている。フランジ部４２には、小ネジ６，６…挿通用の貫通孔４３ａ，４３ａ…を有する取付部４３，４３…が設けてある。なお、貫通孔４３ａ，４３ａ…は、リアキャビネット４をフロントキャビネット３に取付けたときにボス部３３，３３…に対応する位置に夫々形成してある。
【００３１】
取付部４３は、貫通孔４３ａを縁取る座面４３ｂと、該座面４３ｂの縁部に立設された周壁４３ｃと、該周壁４３ｃの周縁に連設された取付面４３ｄとを有してなる。取付部４３の周壁４３ｃの内面には、ネジカバー１の係合爪１３ｂ，１３ｂの形状に応じた係合穴４３ｅ，４３ｅが設けてある。
【００３２】
このリアキャビネット４は、皿形覆部４１にてパネルモジュール２を背面から覆うようにフロントキャビネット３に嵌合された状態にて、小ネジ６，６…を取付部４３，４３…の貫通孔４３ａ，４３ａ…に挿通させ、ボス部３３，３３…に螺合させることによりフロントキャビネット３に固定され、フロントキャビネット３と共にパネルモジュール２を収容する筐体を構成している。なお、リアキャビネット４の上部及び下部には、バックライト部、電子部品等の発熱部品からの熱を筐体外部に放散すべく、通気口（図示せず）が夫々設けてある。
【００３３】
スタンド５は、載置台等に載置されるベース部５１及び該ベース部５１に立設された二つの脚部５２，５２を有し、脚部５２，５２の上部がパネルモジュール２の裏側に取外し可能に取着されており、パネルモジュール２を起立状態にて支持している。
【００３４】
リアキャビネット４に設けられた取付部４３に、実施の形態１に係るネジカバー１が装着される。ネジカバー１は、係合部１３，１３の側を取付部４３に向けて取付部４３内部の空間に係合部１３，１３を挿入させ、係合爪１３ｂ，１３ｂを係合穴４３ｅ，４３ｅに係合させることにより、図５に示す如く、蓋部１１の内面を取付面４３ｄに当接させて取付部４３に取付けられる。なお、ネジカバー１の円筒１２の外径は、小ネジ６の頭部６ａの外径と略同一になるようにしてある。
【００３５】
図６は、小ネジ６及びネジカバー１の取外しの説明図である。まず、小ネジ６の頭部６ａにドライバー６０の先端部を嵌合させ、ドライバー６０を回して小ネジ６を緩める。小ネジ６を緩めるに従って、小ネジ６の頭部６ａがネジカバー１の円筒１２の端部１２ａに当接され、図６中に矢符にて示す如く、小ネジ６の軸長方向の移動に伴う頭部６ａからの押圧力が円筒１２の端部１２ａに作用し、ネジカバー１が押し上げられる。このネジカバー１の移動に伴い、係合部１３，１３の係合爪１３ｂ，１３ｂの傾斜面が係合穴４３ｅ，４３ｅの縁部に対して摺動しつつ該縁部からの力を受け、受けた力により係合部１３，１３が変形して係合爪１３ｂ，１３ｂの係合穴４３ｅ，４３ｅとの係合が解除される。さらにドライバー６０を回して小ネジ６をボス部３３から取外すことにより、ネジカバー１も共に取外されることになる。
【００３６】
以上のように構成されたネジカバー１は、リアキャビネット４に設けられた取付部４３の係合穴４３ｅ，４３ｅに係合爪１３ｂ，１３ｂを係合させることにより容易に取付けることができると共に、小ネジ６をドライバー６０により緩めたときに、小ネジ６の軸長方向の移動に伴い、小ネジ６の頭部６ａがネジカバー１を押し上げ、前述した如く同時に係合爪１３ｂ，１３ｂの係合穴４３ｅ，４３ｅとの係合が解除されるから、小ネジ６を緩める作業によりネジカバー１を取外すことができ、取付け及び取外しの作業性を向上することができる。
【００３７】
また、小ネジ６の頭部６ａがネジカバー１により被覆されており、ネジカバー１に設けられた貫通孔１１ａはドライバー６０が挿通する程度の小さい孔であるから、小ネジ６に直に人の指が触れることはなく、表示装置内部の発熱部品からの熱により小ネジ６の温度が上昇した場合にも、人に不快感を与えずにすむ。
【００３８】
さらに、小ネジ６の頭部６ａがネジカバー１により被覆されて、表示装置を背面側から見たときに小ネジ６の頭部６ａが見えないから、表示装置の外観を美しく保持することができる。
【００３９】
なお、本実施の形態においては、小ネジ６の頭部６ａからの力を受けるネジカバー１の受圧部として円筒１２を蓋部１１に立設させているが、円筒に限定されず、小ネジの頭部６ａに嵌合される工具の挿入を阻害せず、頭部６ａからの力を蓋部１１及び係合部１３，１３に伝達可能な形状であればよい。また、本実施の形態に係る係合部１３，１３は、腕部１３ａ，１３ａの端部に係合爪１３ｂ，１３ｂが設けてあるが、これに限定されず、腕部１３ａ，１３ａの中途部に係合爪を設けてもよい。
【００４０】
（実施の形態２）
図７は、本発明の実施の形態２に係るネジカバーを装着した表示装置の部分断面図である。
【００４１】
ネジカバー１ａは、矩形平板状の蓋部１１を備えており、該蓋部１１の中央には円形の貫通孔１１ａが設けてある。蓋部１１の貫通孔１１ａを挟んだ対称位置には、蓋部１１に略直交する方向に延びる細長い矩形板状の腕部（受圧部）１４，１４が立設してある。該腕部１４，１４の端部には、互いに離反する向きに突設させてなる略三角柱状の係合爪（係合部）１５，１５が形成してある。
【００４２】
このネジカバー１ａは、腕部１４，１４の側を取付部４４に向けて取付部４４内部の空間に挿入させ、係合爪１５，１５を係合穴４４ｅ，４４ｅに係合させることにより、図７に示す如く、蓋部１１の内面を取付面４４ｄに当接させて取付部４４に取付けられる。なお、取付部４４は、貫通孔４４ａを縁取る座面４４ｂと、該座面４４ｂの縁部に立設された周壁４４ｃと、該周壁４４ｃの周縁に連設された取付面４４ｄとを有してなる。その他の構成は、図５に示す実施の形態１と同様であるため、対応する構成部材に図５と同一の参照符号を付して、その構成の詳細な説明を省略する。
【００４３】
以上のように構成されたネジカバー１ａは、リアキャビネット４に設けられた取付部４４の係合穴４４ｅ，４４ｅに係合爪１５，１５を係合させることにより容易に取付けることができる。小ネジ６をドライバーにより緩めたときに、小ネジ６の軸長方向の移動に伴い、小ネジ６の頭部６ａが係合爪１５，１５の端部に当接され、係合爪１５，１５が互いに近接する方向にネジカバー１ａの腕部１４，１４が弾性変形しつつ押し上げられると共に、この弾性変形に伴い、係合爪１５，１５の係合穴４４ｅ，４４ｅとの係合が解除され、小ネジ６を緩める作業によりネジカバー１ａを共に取外すことができる。この結果、取付け及び取外しの作業性を向上することができる。
【００４４】
また、小ネジ６の頭部６ａがネジカバー１ａにより被覆されているから、小ネジ６に直に人の指が触れることはなく、表示装置内部の発熱部品からの熱により小ネジ６の温度が上昇した場合にも人に不快感を与えずにすむと共に、表示装置を背面側から見たときに小ネジ６の頭部６ａが見えないから、表示装置の外観を美しく保持することができる。
【００４５】
なお、ネジカバー１ａの形状は、前述した形状に限定されず、小ネジの頭部に嵌合される工具の挿入を阻害せず、小ネジ６の頭部６ａからの力により弾性変形して係合を解除すると共に頭部６ａからの力を伝達することができる形状であればよい。
【００４６】
（実施の形態３）
図８は、本発明の実施の形態３に係るネジカバーを装着した表示装置の部分断面図である。
【００４７】
ネジカバー１ｂは、円板状の蓋部１６を備えており、該蓋部１６の中央には円形の貫通孔１６ａが設けてある。蓋部１６には、貫通孔１６ａを縁取るように円筒（受圧部）１７が立設してある。該円筒１７の外周面には、半球形の形状を有する複数の凸部（係合部）１７ａ，１７ａ…が周方向に適長離隔して形成してある。
【００４８】
このネジカバー１ｂは、円筒１７の側を取付部４５に向けて取付部４５内部の空間に挿入させ、円筒１７の外周面に形成された凸部１７ａ，１７ａ…を周壁４５ｃの内面に圧接させて凸部１７ａ，１７ａ…及び内面間の摩擦抵抗により取付部４５に保持される。なお、取付部４５は、貫通孔４５ａを縁取る座面４５ｂと、該座面４５ｂの縁部に立設された周壁４５ｃと、該周壁４５ｃの周縁に連設された取付面４５ｄとを有してなる。その他の構成は、図５に示す実施の形態１と同様であるため、対応する構成部材に図５と同一の参照符号を付して、その構成の詳細な説明を省略する。
【００４９】
以上のように構成されたネジカバー１ｂは、リアキャビネット４に設けられた取付部４５の内面と凸部１７ａ，１７ａ…との間に生じる摩擦抵抗によりネジカバー１ｂを保持することができ、容易に取付けることができる。小ネジ６をドライバーにより緩めたときに、小ネジ６の頭部６ａが円筒１７の端部に当接され、小ネジ６の軸長方向の移動に伴う頭部６ａからの押圧力が円筒１７の端部に作用し、ネジカバー１ｂが周壁４５ｃの内面に対して摺動しつつ押し上げられるから、小ネジ６を緩める作業によりネジカバー１ｂを取外すことができる。この結果、取付け及び取外しの作業性を向上することができる。
【００５０】
また、小ネジ６の頭部６ａがネジカバー１ｂにより被覆されているから、小ネジ６に直に人の指が触れることはなく、表示装置内部の発熱部品からの熱により小ネジ６の温度が上昇した場合にも人に不快感を与えずにすむと共に、表示装置を背面側から見たときに小ネジ６の頭部６ａが見えないから、表示装置の外観を美しく保持することができる。
【００５１】
なお、本実施の形態においては、ネジカバー１ｂの円筒１７の外周面に複数の凸部１７ａ，１７ａ…を形成しているが、これに限定されず、円板状の蓋部１６の外周面に複数の凸部を形成してもよい。また、半球状の形状を有する複数の凸部１７ａ，１７ａ…を形成しているが、これに限定されず、リアキャビネット４に設けられた取付部４５の内面との摩擦抵抗によりネジカバーを取付部４５に保持することができる形状であればよい。さらに、小ネジ６の頭部６ａからの力を受けるネジカバー１ｂの筒体として円筒１７を蓋部１６に立設しているが、これに限定されず、例えば、多角筒体でもよい。
【００５２】
なお、以上の実施の形態に係る表示装置においては、リアキャビネット４をフロントキャビネット３に取付けるように構成しているが、これに限定されず、リアキャビネット４をパネルモジュール２のバックライト部を保持するシャーシに取付けるように構成してもよい。
【００５３】
また、以上の実施の形態において、表示装置として液晶テレビを例に説明したが、これに限定されず、液晶テレビ以外の液晶表示装置、プラズマ表示装置、ＥＬディスプレイ等の表示装置にも適用可能であり、その他、特許請求の範囲に記載した事項の範囲内において種々変更した形態にて実施することが可能であることは言うまでもない。
【図面の簡単な説明】
【００５４】
【図１】本発明の実施の形態１に係るネジカバーの外観図である。
【図２】図１のII−II矢視から見た模式的平面図である。
【図３】表示装置の構成を示す背面側の模式的斜視図である。
【図４】表示装置の模式的分解斜視図である。
【図５】図３の V−V 線による部分断面図である。
【図６】小ネジ及びネジカバーの取外しの説明図である。
【図７】本発明の実施の形態２に係るネジカバーを装着した表示装置の部分断面図である。
【図８】本発明の実施の形態３に係るネジカバーを装着した表示装置の部分断面図である。
【図９】従来のネジカバーの外観斜視図である。
【図１０】従来のネジカバーを装着した表示装置の部分断面図である。
【符号の説明】
【００５５】
１，１ａ，１ｂ  ネジカバー
１１，１６  蓋部
１１ａ，１６ａ  貫通孔
１２  円筒（受圧部）
１３  係合部
１３ａ  腕部
１３ｂ  係合爪
１４  腕部（受圧部）
１５  係合爪（係合部）
１７  円筒（筒体，受圧部）
１７ａ  凸部（係合部）
２  パネルモジュール（表示部）
３  フロントキャビネット
４  リアキャビネット
４３，４４，４５  取付部（凹部）
４３ｅ，４４ｅ  係合穴
６  小ネジ（ネジ）
６ａ  頭部
【図１】
2009192066.tif 000003
【図２】
2009192066.tif 000004
【図３】
2009192066.tif 000005
【図４】
2009192066.tif 000006
【図５】
2009192066.tif 000007
【図６】
2009192066.tif 000008
【図７】
2009192066.tif 000009
【図８】
2009192066.tif 000010
【図９】
2009192066.tif 000011
【図１０】
2009192066.tif 000012